(57)【要約】【課題】タイヤ空気圧等の管理をこまめに行なっているような安全性が高い自動車及びその所有者は事故を起こす可能性が低いと見なして保険料を減額するようにした自動車保険の保険料及び／又は保険金の決定方法及びシステムを提供する。【解決手段】自動車のタイヤ空気圧に関する時系列的情報を取得する車輌状況解析部１３１　と、この車輌状況解析部１３１　が取得した情報を外部へ送信する通信装置１４とを備えた車載装置１と、受信した情報に基づいて当該自動車のタイヤ空気圧管理状況を評価する車輌管理状態診断部３２と、この車輌管理状態診断部３２による評価結果に基づいて自動車保険の保険料及び／又は保険金を算出する保険料算出部３３とを備えた中央装置とからなるシステム。【選択図】　　　　図１
2004145489.tif 000002
【特許請求の範囲】
【請求項１】
自動車保険の加入者が支払うべき保険料及び／又は自動車保険の加入者が受け取るべき保険金を計算機によって決定する方法であって、
タイヤ空気圧検出装置により取得された自動車のタイヤ空気圧に関する時系列的情報を読み込むステップと、
読み込んだ情報に基づいて当該自動車のタイヤ空気圧管理状況を評価するステップと、
前記評価結果に基づいて自動車保険の保険料及び／又は保険金を決定するステップと
を含むことを特徴とする自動車保険の保険料及び／又は保険金の決定方法。
【請求項２】
前記タイヤ空気圧検出装置は、タイヤが取り付けられたホイールの回転角速度に基づいてタイヤ空気圧の変化を検出するようにしてあることを特徴とする請求項１に記載の自動車保険の保険料及び／又は保険金の決定方法。
【請求項３】
前記計算機による前記タイヤ空気圧管理状況の評価は、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることを特徴とする請求項１に記載の自動車保険の保険料及び／又は保険金の決定方法。
【請求項４】
自動車保険の加入者が支払うべき保険料及び／又は自動車保険の加入者が受け取るべき保険金を計算機によって決定する方法であって、
監視装置により取得された自動車の管理状況に関する時系列的情報を読み込むステップと、
読み込んだ情報に基づいて当該自動車の管理状況を評価するステップと、
前記評価結果に基づいて自動車保険の保険料及び／又は保険金を決定するステップと
を含むことを特徴とする自動車保険の保険料及び／又は保険金の決定方法。
【請求項５】
前記監視装置は、当該自動車のタイヤ空気圧、エンジンオイルの量及び汚れの状態、所定のライトの点灯状態を監視するようにしてあることを特徴とする請求項４に記載の自動車保険の保険料及び／又は保険金の決定方法。
【請求項６】
前記計算機による前記管理状況の評価は、前記監視装置による監視結果が所定の基準範囲外であった走行距離の総計値、前記監視装置による監視結果が所定の基準範囲外であった走行距離の全走行距離に対する割合、前記監視装置による監視結果が所定の基準範囲外であった走行時間の総計値、前記監視装置による監視結果が所定の基準範囲外であった走行時間の全走行時間に対する割合、及び前記監視装置による監視結果が所定の基準範囲を最も大きく外れた値のいずれか一つ、または複数の組み合せに基づいて行なわれることを特徴とする請求項４に記載の自動車保険の保険料及び／又は保険金の決定方法。
【請求項７】
自動車保険の加入者が支払うべき保険料及び／又は自動車保険の加入者が受け取るべき保険金を決定するシステムであって、
自動車のタイヤ空気圧に関する時系列的情報を取得するタイヤ空気圧検出装置と、
該タイヤ空気圧検出装置が取得した情報を当該自動車の外部へ送信する送信装置と
を備えた車載装置と、
前記送信装置から送信された情報を受信する受信装置と、
該受信装置が受信した情報に基づいて当該自動車のタイヤ空気圧管理状況を評価する評価部と、
該評価部による評価結果に基づいて自動車保険の保険料及び／又は保険金を算出する算出部と
を備えた中央装置と
を含むことを特徴とする自動車保険の保険料及び／又は保険金の決定システム。
【請求項８】
前記タイヤ空気圧検出装置は、タイヤが取り付けられたホイールの回転角速度に基づいてタイヤ空気圧の変化を検出するようにしてあることを特徴とする請求項７に記載の自動車保険の保険料及び／又は保険金の決定システム。
【請求項９】
前記評価部による評価は、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることを特徴とする請求項７に記載の自動車保険の保険料及び／又は保険金の決定システム。
【請求項１０】
自動車保険の加入者が支払うべき保険料及び／又は自動車険の加入者が受け取るべき保険金を決定するシステムであって、
自動車の管理状況に関する時系列的情報を取得する監視装置と、
該監視装置が取得した情報を当該自動車の外部へ送信する送信装置と
を備えた車載装置と、
前記送信装置から送信された情報を受信する受信装置と、
該受信装置が受信した情報に基づいて当該自動車の管理状況を評価する評価部と、
該評価部による評価結果に基づいて自動車保険の保険料及び／又は保険金を算出する算出部と
を備えた中央装置と
を含むことを特徴とする自動車保険の保険料及び／又は保険金の決定システム。
【請求項１１】
前記監視装置は、当該自動車のタイヤ空気圧、エンジンオルの量及び汚れの状態、所定のライトの点灯状態を監視するようにしてあることを特徴とする請求項１０に記載の自動車保険の保険料及び／又は保険金の決定システム。
【請求項１２】
前記管理状況の評価は、前記監視装置による視結果が所定の基準範囲外であった走行距離の総計値、前記監視装置による視結果が所定の基準範囲外であった走行距離の全走行距離に対する割合、前記監視装置による監視結果が所定の基準範囲外であった走行時間の総計値、前記監視装置による監視結果が所定の基準範囲外であった走行時間の全走行時間に対する割合、及び前記監視装置による監視結果が所定の基準範囲を最も大きく外れた値のいずれか一つ、または複数の組み合せに基づいて行なわれることを特徴とする請求項１０に記載の自動車保険の保険料及び／又は保険金の決定システム。
【請求項１３】
自動車保険の加入者が支払うべき保険料及び／又は自動車保険の加入者が受け取るべき保険金をコンピュータに決定させるためのコンピュータプログラムであって、
自動車のタイヤ空気圧に関する時系列的情報をコンピュータに読み込ませる手順と、
読み込んだ情報に基づいて当該自動車のタイヤ空気圧管理状況をコンピュータに評価させる手順と、
該評価結果に基づいて自動車保険の保険料及び／又は保険金をコンピュータに決定させる手順と
を含むことを特徴とするコンピュータプログラム。
【請求項１４】
前記タイヤ空気圧に関する時系列的情報は、タイヤが取り付けられたホイールの回転角速度に基づいてタイヤ空気圧の変化を時系列的に取得した情報であることを特徴とする請求項１３に記載のコンピュータプログラム。
【請求項１５】
前記タイヤ空気圧管理状況をコンピュータに評価させる手順は、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて実行されることを特徴とする請求項１３に記載のコンピュータプログラム。
【請求項１６】
自動車保険の加入者が支払うべき保険料及び／又は自動車保険の加入者が受け取るべき保険金をコンピュータに決定させるためのコンピュータプログラムであって、
自動車の管理状況に関する時系列的情報をコンピュータに読み込ませる手順と、
読み込んだ情報に基づいて当該自動車の管理状況をコンピュータに評価させる手順と、
該評価結果に基づいて自動車保険の保険料及び／又は保険金をコンピュータに決定させる手順と
を含むことを特徴とするコンピュータプログラム。
【請求項１７】
前記管理状況に関する時系列的情報は、当該自動車のタイヤ空気圧、エンジンオイルの量及び汚れの状態、所定のライトの点灯状態に基づいて当該自動車の管理状況を時系列的に取得した情報であることを特徴とする請求項１６に記載のコンピュータプログラム。
【請求項１８】
前記管理状況をコンピュータに評価させる手順は、管理状況の監視結果が所定の基準範囲外であった走行距離の総計値、管理状況の監視結果が所定の基準範囲外であった走行距離の全走行距離に対する割合、前記監視装置による監視結果が所定の基準範囲外であった走行時間の総計値、前記監視装置による監視結果が所定の基準範囲外であった走行時間の全走行時間に対する割合、及び前記監視装置による監視結果が所定の基準範囲を最も大きく外れた値のいずれか一つ、または複数の組み合せに基づいて実行されることを特徴とする請求項１６に記載のコンピュータプログラム。
【発明の詳細な説明】
【０００１】
【発明の属する技術分野】
本発明は自動車保険の保険料及び／又は保険金の決定方法及びそのシステムに関し、より具体的には、自動車の所有者が主として事故を起こした場合に保険金が支払われるべき自動車保険の保険料（いわゆる掛け金）及び／又は保険金を決定するための方法、及びそのシステムに関する。更に本発明は、そのようなシステムをコンピュータを使用して実現するためのコンピュータプログラムにも関する。
【０００２】
【従来の技術】
自動車が事故を起こした場合に備えて自動車の所有者は、日本においては法律で義務化されている自賠責保険（自動車損害賠償責任保険）の他に、任意で自動車保険に加入することが多い。ところでそのような任意の自動車保険の保険料は、自動車の車種、大きさ等の外、万一の際に支払われるべき保険金の金額により左右されることは勿論であるが、それらの条件が同じ場合には、従来は保険加入者の年齢、過去の事故歴等に応じて料金が増減されるのみであった。
【０００３】
しかし、通勤に自動車を使用し、更に仕事にも同じ自動車を使用するような場合と、あまり自動車を使用しない、たとえば自動車を通勤には使用せずに休日にのみ使用するようないわゆるサンデードライバーの場合とでは走行距離及び走行時間が大幅に異なるため、走行距離当たり、または走行時間当たりの事故率が同じであると仮定すると、実際に事故が発生する回数は後者が格段に少ない。従って、後者にとっては、前者と同一の算定基準で保険料を支払わされることには非常な不公平感があることは想像に難くない。
【０００４】
このような事情から、近年では、自動車の走行距離等に応じて自動車保険料を変更する、より具体的には、走行距離が少ない自動車に対しては保険料を減額するような料金体系、あるいはその他にも従来は考慮されていなかった種々の要因を保険料算定の基準として採り入れた料金体系も既に導入されている。
【０００５】
たとえば、運転時間、運転経路等を考慮して車輌保険料請求額を決定する発明が知られている（特許文献１参照）。また、自動車を運転する時間（自動車の走行時間）に応じて保険料を算定する発明が知られている（特許文献２参照）。また、自動車の走行距離を考慮して自動車保険料金を決定する発明が知られている（特許文献３参照）。また、自動車の走行中に撮影された映像情報を用いて保険料率を算出する発明が知られている（特許文献４参照）。また、個々の運転者の実際の運転状況に応じて、具体的にはエンジン回転数、制動回数等に応じてきめ細かく保険料を設定する発明が知られている（特許文献５参照）。更に、運転特性、たとえばトランスミッションの設定状態、エンジンのスロットル開度、ブレーキライト、ヘッドライトのオン／オフ、タイヤ空気圧の突然の喪失（いわゆるパンク状態）等、を示すデータに基づいて自動車保険料を決定する発明も知られている（特許文献６参照）。
【０００６】
以上のように、単に走行距離、時間のみならず、運転状況、即ち安全運転を心掛けているか否か、更には実際に危険な運転を行なっていないか等に応じても自動車保険料を決定することが既に行なわれている。このことは、とりもなおざず自動車の所有者が、自分は事故を起こす確率が低い運転を心掛けているにも拘わらず、またはそれほどの走行距離でもないにも拘わらず、非常に頻繁に自動車を運転する者、または頻繁に事故を起こすような不心得者と同額の保険料を支払うことに疑問を感じているからに他ならない。
【０００７】
ところで、上述のような要因の他に、自動車の所有者自身が、または業者に依頼したとしても、こまめに適切なメンテナンスを行なっているような場合には、その自動車そのものが事故を起こす確率が低いことは当然であるし、またそのようなこまめに適切なメンテナンスを行なう自動車の所有者（運転者）自身も事故を起こすような危険な運転を行なう可能性は小さいであろうとの推測は十分に説得性があるといえる。従って、十分なメンテナンスが行なわれている自動車に対して自動車保険料を減額することには十分な蓋然性があるといえる。
【０００８】
しかし、上述した各特許文献１乃至６にそれぞれ開示された技術には、従来はそのような観点から自動車保険料を設定するという考え方がなかったことが理解される。
【０００９】
ところで、自動車のメンテナンスに留意していることを表す指標としてはたとえばボンネット内の点検（エンジンオイルの点検、バッテリの点検、冷却液の点検、ファンベルトの点検等）、各種ライト類の点検、タイヤ空気圧の点検等が挙げられる。しかし、ボンネットの開閉に関してはそれが保険料率の決定に関係しているとわかっていれば単に開閉のみを行なって実際の点検は行なわない場合も考えられる。これに対して、タイヤ空気圧が常時適正に維持されているということは、その自動車の所有者または運手者が日常的に車輌のメンテナンスに留意しているからこそ可能なことである。従って、タイヤ空気圧が適正に維持されているか否かをメンテナンスが適切に行なわれているか否かの判断材料とすることには合理性があると考えられる。
【００１０】
このことに関しては、先年、米国で多発した自動車の転倒事故を契機としてタイヤ空気圧管理の重要性が認識されつつあるという事実がある。即ち、タイヤ空気圧が一定値以下の状態で自動車が高速走行した場合にはタイヤが加熱して軟化し、いわゆるスタンディングウェーブ現象を生じ、遂にはバーストする危険性があり、これが単独の転倒事故、あるいは他車を巻きこんだ事故になることは公知である。従って、タイヤ空気圧が適切に管理されていない自動車が単独であろうと、他車を巻きこもうと、事故を起こす確率は相対的に高く、逆にタイヤ空気圧が適切に管理されている自動車では事故を起こす確率が相対的に低いとみなすことが可能である。また、タイヤ空気圧を常時適切に管理するような運転者は事故を起こす確率が低い運転を心掛けているとの推測も十分に説得力があると言える。
【００１１】
なお、自動車のタイヤ空気圧を検出する技術としては大別して、タイヤ内の空気圧を直接検出する「直接法」と、タイヤ外部からタイヤの挙動を観察することによりタイヤ内の空気圧を推定する「間接法」との２種類の技術が知られている。前者はタイヤ内の空気圧をセンサで直接検出して得られたデータを無線送信等によって自動車本体または他の受信装置へ送信する構成であり、比較的高コストであるために一部の高級車等にのみ使用されている。しかし、後者は比較的低コストであるため、普及価格帯の自動車にも十分に装備可能であり、たとえば特許文献７、８に見られるような公知例が知られている。
【００１２】
特許文献７には、ホイールの角速度の変化からタイヤの減圧を検知する技術が開示されている。また特許文献８には、タイヤの振動周波数成分からタイヤの空気圧の状態を検知する技術が開示されている。
【００１３】
【特許文献１】
特開２００１−７６０３５号公報
【特許文献２】
特開２００１−２７３４０１号公報
【特許文献３】
特開２００１−３３１６４８号公報
【特許文献４】
特開２００１−３２５７８号公報
【特許文献５】
特開２００１−１４９９８４号公報
【特許文献６】
特表平１１−５１１５８１号公報
【特許文献７】
特公平５−５５３２２号公報
【特許文献８】
特許２８３６６５２号公報
【００１４】
【発明が解決しようとする課題】
本発明は以上のような事情を総合的に勘案してなされたものであり、メンテナンスが十分に行なわれている自動車はそれ自体が事故発生率が低いこと、及びそのような自動車の所有者（運転者）は安全運転を心掛けるであろうとの十分に蓋然性がある推測に基づいてなされたものである。
【００１５】
具体的には、主としてタイヤ空気圧が適正に維持管理されている自動車はメンテナンスが適切に行なわれているとの前提で、そのような自動車に対しては保険料を減額することにより、保険加入者に納得してもらえる水準の保険料を設定し、また事故発生時においても同様の考え方により、保険加入者に支払われるべき保険金を減額し、また保険会社においても十分な採算性を維持して新たな保険加入者を獲得しうるような自動車保険の保険料及び／又は保険金の決定方法及びそのシステムの提供を主たる目的とする。また本発明はそのようなシステムをコンピュータを利用して実現するためのコンピュータプログラムの提供をも目的とする。
【００１６】
また本発明では、自動車のメンテナンスが適正に行なわれているか否かを判断する指標として、タイヤ空気圧の他にたとえば前述したエンジンオイルに関する情報、ライト類のメンテナンスに関する情報等をも考慮することとする。
【００１７】
【課題を解決するための手段】
本発明は、自動車保険の加入者が支払うべき保険料及び／又は自動車保険の加入者が受け取るべき保険金を計算機によって決定する方法であって、タイヤ空気圧検出装置により取得された自動車のタイヤ空気圧に関する時系列的情報を読み込むステップと、読み込んだ情報に基づいて当該自動車のタイヤ空気圧管理状況を評価するステップと、前記評価結果に基づいて自動車保険の保険料及び／又は保険金を決定するステップとを含むことを特徴とする。
【００１８】
このような本発明の自動車保険の保険料及び／又は保険金の決定方法では、自動車のタイヤ空気圧に関する時系列的情報がタイヤ空気圧検出装置により取得されており、このタイヤ空気圧検出装置が取得した情報を計算機が読み込んで当該自動車のタイヤ空気圧管理状況を評価し、この評価結果に基づいて自動車保険の加入者が支払うべき保険料及び／又は自動車保険の加入者が受け取るべき保険金を計算機が決定する。
【００１９】
また本発明は、上述の自動車保険の保険料及び／又は保険金の決定方法の発明において、前記タイヤ空気圧検出装置は、タイヤが取り付けられたホイールの回転角速度に基づいてタイヤ空気圧の変化を検出するようにしてあることを特徴とする。
【００２０】
このような本発明では、比較点安価で信頼性が高い間接方式のタイヤ空気圧検出装置により、タイヤが取り付けられたホイールの回転角速度に基づいてタイヤ空気圧の変化が検出される。
【００２１】
更に本発明は、上述の自動車保険の保険料及び／又は保険金の決定方法の発明において、前記計算機による前記タイヤ空気圧管理状況の評価は、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることを特徴とする。
【００２２】
このような本発明では、計算機によるタイヤ空気圧管理状況の評価が、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることにより、タイヤ空気圧の管理状況がより具体的に把握される。
【００２３】
更に本発明は、自動車保険の加入者が支払うべき保険料及び／又は自動車保険の加入者が受け取るべき保険金を計算機によって決定する方法であって、監視装置により取得された自動車の管理状況に関する時系列的情報を読み込むステップと、読み込んだ情報に基づいて当該自動車の管理状況を評価するステップと、前記評価結果に基づいて自動車保険の保険料及び／又は保険金を決定するステップとを含むことを特徴とする。
【００２４】
このような本発明の自動車保険の保険料及び／又は保険金の決定方法及びシステムでは、自動車の管理状況に関する時系列的情報が監視装置により取得されており、この監視装置が取得した情報を計算機が読み込んで当該自動車の管理状況を評価し、この評価結果に基づいて自動車保険の加入者が支払うべき保険料及び／又は自動車保険の加入者が受け取るべき保険金を計算機が決定する。
【００２５】
また本発明は、上述の自動車保険の保険料及び／又は保険金の決定方法の発明において、前記監視装置は、当該自動車のタイヤ空気圧、エンジンオイルの量及び汚れの状態、所定のライトの点灯状態を監視するようにしてあることを特徴とする。
【００２６】
このような本発明では、監視装置により、タイヤ空気圧、エンジンオイルの量及び汚れの状態、所定のライトの点灯状態等が自動車の管理状況の指標となる情報として検出される。
【００２７】
また本発明は、上述の自動車保険の保険料及び／又は保険金の決定方法の発明において、前記計算機による前記管理状況の評価は、前記監視装置による監視結果が所定の基準範囲外であった走行距離の総計値、前記監視装置による監視結果が所定の基準範囲外であった走行距離の全走行距離に対する割合、前記監視装置による監視結果が所定の基準範囲外であった走行時間の総計値、前記監視装置による監視結果が所定の基準範囲外であった走行時間の全走行時間に対する割合、及び前記監視装置による監視結果が所定の基準範囲を最も大きく外れた値のいずれか一つ、または複数の組み合せに基づいて行なわれることを特徴とする。
【００２８】
このような本発明では、計算機による自動車の管理状況の評価が、監視装置による監視結果が所定の基準範囲外であった走行距離の総計値、監視装置による監視結果が所定の基準範囲外であった走行距離の全走行距離に対する割合、監視装置による監視結果が所定の基準範囲外であった走行時間の総計値、監視装置による監視結果が所定の基準範囲外であった走行時間の全走行時間に対する割合、及び監視装置による監視結果が所定の基準範囲を最も大きく外れた値のいずれか一つ、または複数の組み合せに基づいて行なわれることにより、自動車の管理状況がより具体的に把握される。
【００２９】
また本発明は、自動車保険の加入者が支払うべき保険料及び／又は自動車保険の加入者が受け取るべき保険金を決定するシステムであって、自動車のタイヤ空気圧に関する時系列的情報を取得するタイヤ空気圧検出装置と、該タイヤ空気圧検出装置が取得した情報を当該自動車の外部へ送信する送信装置とを備えた車載装置と、前記送信装置から送信された情報を受信する受信装置と、該受信装置が受信した情報に基づいて当該自動車のタイヤ空気圧管理状況を評価する評価部と、該評価部による評価結果に基づいて自動車保険の保険料及び／又は保険金を算出する算出部とを備えた中央装置とを含むことを特徴とする。
【００３０】
このような本発明の自動車保険の保険料及び／又は保険金の決定システムでは、車載装置側で自動車のタイヤ空気圧に関する時系列的情報がタイヤ空気圧検出装置により取得されており、このタイヤ空気圧検出装置が取得した情報に基づいて中央装置側で当該自動車のタイヤ空気圧管理状況が評価され、この評価結果に基づいて自動車保険の加入者が支払うべき保険料及び／又は自動車保険の加入者が受け取るべき保険金が決定される。
【００３１】
また本発明は、上述の自動車保険の保険料及び／又は保険金の決定システムの発明において、前記タイヤ空気圧検出装置は、タイヤが取り付けられたホイールの回転角速度に基づいてタイヤ空気圧の変化を検出するようにしてあることを特徴とする。
【００３２】
このような本発明では、比較点安価で信頼性が高い間接方式のタイヤ空気圧検出装置により、タイヤが取り付けられたホイールの回転角速度に基づいてタイヤ空気圧の変化が検出される。
【００３３】
更に本発明は、上述の自動車保険の保険料及び／又は保険金の決定システムの発明において、前記評価部による評価は、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることを特徴とする。
【００３４】
このような本発明では、タイヤ空気圧管理状況の評価が、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることにより、タイヤ空気圧の管理状況がより具体的に把握される。
【００３５】
また本発明は、自動車保険の加入者が支払うべき保険料及び／又は自動車険の加入者が受け取るべき保険金を決定するシステムであって、自動車の管理状況に関する時系列的情報を取得する監視装置と、該監視装置が取得した情報を当該自動車の外部へ送信する送信装置とを備えた車載装置と、前記送信装置から送信された情報を受信する受信装置と、該受信装置が受信した情報に基づいて当該自動車の管理状況を評価する評価部と、該評価部による評価結果に基づいて自動車保険の保険料及び／又は保険金を算出する算出部とを備えた中央装置とを含むことを特徴とする。
【００３６】
このような本発明の自動車保険の保険料及び／又は保険金の決定システムでは、車載装置側で自動車の管理状況に関する時系列的情報が監視装置により取得されており、この監視装置が取得した情報に基づいて中央装置側で当該自動車の管理状況が評価され、この評価結果に基づいて自動車保険の加入者が支払うべき保険料及び／又は自動車保険の加入者が受け取るべき保険金が決定される。
【００３７】
また本発明は、上述の自動車保険の保険料及び／又は保険金の決定システムの発明において、前記監視装置は、当該自動車のタイヤ空気圧、エンジンオルの量及び汚れの状態、所定のライトの点灯状態を監視するようにしてあることを特徴とする。
【００３８】
このような本発明では、監視装置により、タイヤ空気圧、エンジンオイルの量及び汚れの状態、所定のライトの点灯状態等が自動車の管理状況の指標となる情報として検出される。
【００３９】
更に本発明は、上述の自動車保険の保険料及び／又は保険金の決定システムの発明において、前記管理状況の評価は、前記監視装置による視結果が所定の基準範囲外であった走行距離の総計値、前記監視装置による視結果が所定の基準範囲外であった走行距離の全走行距離に対する割合、前記監視装置による監視結果が所定の基準範囲外であった走行時間の総計値、前記監視装置による監視結果が所定の基準範囲外であった走行時間の全走行時間に対する割合、及び前記監視装置による監視結果が所定の基準範囲を最も大きく外れた値のいずれか一つ、または複数の組み合せに基づいて行なわれることを特徴とする。
【００４０】
このような本発明では、自動車の管理状況の評価が、監視装置による視結果が所定の基準範囲外であった走行距離の総計値、監視装置による監視結果が所定の基準範囲外であった走行距離の全走行距離に対する割合、監視装置による監視結果が所定の基準範囲外であった走行時間の総計値、監視装置による監視結果が所定の基準範囲外であった走行時間の全走行時間に対する割合、及び監視装置による監視結果が所定の基準範囲を最も大きく外れた値のいずれか一つ、または複数の組み合せに基づいて行なわれることにより、自動車の管理状況がより具体的に把握される。
【００４１】
更に本発明は、自動車保険の加入者が支払うべき保険料及び／又は自動車保険の加入者が受け取るべき保険金をコンピュータに決定させるためのコンピュータプログラムであって、自動車のタイヤ空気圧に関する時系列的情報をコンピュータに読み込ませる手順と、読み込んだ情報に基づいて当該自動車のタイヤ空気圧管理状況をコンピュータに評価させる手順と、該評価結果に基づいて自動車保険の保険料及び／又は保険金をコンピュータに決定させる手順とを含むことを特徴とする。
【００４２】
また本発明は、上述のコンピュータプログラムの発明において、前記タイヤ空気圧に関する時系列的情報は、タイヤが取り付けられたホイールの回転角速度に基づいてタイヤ空気圧の変化を時系列的に取得した情報であることを特徴とする。
【００４３】
更に本発明は、上述のコンピュータプログラムの発明において、前記タイヤ空気圧管理状況を評価する手順は、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて実行されることを特徴とする。
【００４４】
これらの本発明のコンピュータプログラムでは、前述のタイヤ空気圧の管理状況による本発明の自動車保険の保険料及び／又は保険金の決定システムの中央装置を汎用コンピュータで実現することが可能になる。
【００４５】
更にまた本発明は、自動車保険の加入者が支払うべき保険料及び／又は自動車保険の加入者が受け取るべき保険金をコンピュータに決定させるためのコンピュータプログラムであって、自動車の管理状況に関する時系列的情報をコンピュータに読み込ませる手順と、読み込んだ情報に基づいて当該自動車の管理状況をコンピュータに評価させる手順と、該評価結果に基づいて自動車保険の保険料及び／又は保険金をコンピュータに決定させる手順とを含むことを特徴とする。
【００４６】
また更に本発明は、上述のコンピュータプログラムの発明において、前記管理状況に関する時系列的情報は、当該自動車のタイヤ空気圧、エンジンオイルの量及び汚れの状態、所定のライトの点灯状態に基づいて当該自動車の管理状況を時系列的に取得した情報であることを特徴とする。
【００４７】
更にまた本発明は、上述のコンピュータプログラムの発明において、前記管理状況を評価する手順は、管理状況の監視結果が所定の基準範囲外であった走行距離の総計値、管理状況の監視結果が所定の基準範囲外であった走行距離の全走行距離に対する割合、前記監視装置による監視結果が所定の基準範囲外であった走行時間の総計値、前記監視装置による監視結果が所定の基準範囲外であった走行時間の全走行時間に対する割合、及び前記監視装置による監視結果が所定の基準範囲を最も大きく外れた値のいずれか一つ、または複数の組み合せに基づいて実行されることを特徴とする。
【００４８】
これらの本発明のコンピュータプログラムでは、前述の自動車の管理状況による本発明の自動車保険の保険料及び／又は保険金の決定システムの中央装置を汎用コンピュータで実現することが可能になる。
【００４９】
【発明の実施の形態】
以下、本発明をその実施の形態を示す図面に基づいて詳述する。図１は本発明に係る自動車保険の保険料及び／又は保険金の決定方法を実施するためのシステム、即ち本発明の自動車保険の保険料及び／又は保険金の決定システムの全体の一構成例を示すブロック図である。
【００５０】
図１において、１は自動車内に備えられた本発明システムの車載装置を示しており、タイヤ空気圧検出装置１１と車輌情報検出装置１２とからそれぞれが検出した情報を受信する制御部１３と、外部通信装置１４とを主要な構成要素としている。
【００５１】
タイヤ空気圧検出装置１１は、本実施の形態ではたとえば特許文献７に開示されている技術を利用しているが、他の構成であってもよいことは言うまでもない。なお、特許文献７に開示されている技術は、タイヤに圧力損失が生じた場合は、ラジアルタイヤは増加した角速度で回転する（回転角速度が変化する）という事実に基づいている。具体的には、たとえば１３インチのラジアルタイヤでは　１．２バールの圧力損失で角速度が０．２７％増加するという事実に基づいて、車輌における４個のホイールの角速度の差に基づいてタイヤ空気圧を検出する。この場合、ホイールの角速度そのものは新たなセンサを設けることなく、既に多くの自動車に装備されているＡＢＳ（Ａｎｔｉｌｏｃｋ　Ｂｒａｋｅ　Ｓｙｓｔｅｍ）　用のセンサを利用することが可能であるので、新たに余分なセンサを設ける必要はない。
【００５２】
車輌情報検出装置１２は、車載装置１が搭載されている自動車の走行距離、車速、エンジンの起動の有無等を検出する。これらの情報は従来の一般的な自動車には通常備えられているセンサにより得られるものである。上述のタイヤ空気圧検出装置１１及び車輌情報検出装置１２による検出結果は制御部１３に与えられる。
【００５３】
制御部１３は、車輌状況解析部１３１　、記憶装置１３３　、外部通信制御部１３４　等で構成されている。車輌状況解析部１３１　はたとえばマイクロコンピュータを利用しており、タイヤ空気圧検出装置１１及び車輌情報検出装置１２から与えられる情報を、内蔵時計１３２　の計時結果を参照して解析し、タイヤ空気圧の状況を記録する。なお、この車輌状況解析部１３１　によるタイヤ空気圧の解析は、特許文献７に開示されている手法に基づいている。
【００５４】
なお、車輌状況解析部１３１　による解析結果は記憶装置１３３　の容量に余裕がある場合にはこれに記憶される。記憶装置１３３　はＲＡＭ，ＨＤ（ハードディスク）等の種々の記憶装置が利用可能であり、また逆にこのことは記憶装置１３３　としてＲＡＭのみを使用する構成でもよいことを意味している。
【００５５】
外部通信制御部１３４　は記憶装置１３３　の記憶内容を必要に応じて外部通信装置１４を制御してこの車載装置１が搭載されている自動車の外部の中継装置２へ送信する。なお、外部通信装置１４としては、携帯電話、ＤＳＲＣ（専用狭帯域通信：Ｄｅｄｉｃａｔｅｄ　Ｓｈｏｒｔ　Ｒａｎｇｅ　Ｃｏｍｍｕｎｉｃａｔｉｏｎ）、無線ＬＡＮ、Ｂｌｕｅｔｏｏｔｈ　等の種々の無線通信回線の利用が可能である。
【００５６】
中継装置２は、たとえば外部通信装置１４が携帯電話によるインターネット通信を行なう構成である場合にはインターネットプロバイダが相当し、外部通信装置１４がＤＳＲＣを行なう構成である場合は基地局が相当し、無線ＬＡＮまたはＢｌｕｅｔｏｏｔｈ　で通信を行なう場合はそれぞれに対応したカーポート（固定的な無線通信局）が相当する。この中継装置２はインターネットにより保険事業者のサーバ３に接続している。
【００５７】
なお、車載装置１の外部通信装置１４と中継装置２とをカーポートにおいて有線で接続する構成、または車載装置１の記憶装置１３３　が可搬型の記憶装置である場合は、記憶装置１３３　を取り外して中継装置２の所定位置に挿入・接続する構成であってもよい。
【００５８】
保険事業者のサーバ３は、中継装置２からインターネットを介して個々の車輌の情報を受信する車輌情報受信部３１と、車輌情報受信部３１が受信した個々の車輌情報に基づいて個々の車輌の管理状態を診断する車輌管理状態診断部３２と、この車輌管理状態診断部３２による診断結果に基づいて保険料を算出する保険料算出部３３とを含んでいる。但し、このサーバ３は計算機として機能するが、基本的には汎用コンピュータであり、上述の車輌管理状態診断部３２及び保険料算出部３３等はソフトウェア的な処理により実現される。このため、これらの車輌管理状態診断部３２及び保険料算出部３３により実行される機能を実現するためのコンピュータプログラムがプログラム記録部３４に記録されている。
【００５９】
保険事業者のサーバ３は個人情報管理データベース（ＤＢ）４にアクセス可能である。この個人情報管理ＤＢ４には保険加入者に関する情報、具体的には各保険加入者の住所，氏名，生年月日，性別，所有車種，事故歴，加入保険の種類，保険金額，保険料等のような通常の保険業務に必要な情報は勿論のこと、車輌管理状態診断部３２による診断結果も登録されている。
【００６０】
図２は車載装置１によるタイヤ空気圧の検出手順を示すフローチャートである。なお、以下の実施の形態においては、タイヤ空気圧の検出は自動車が走行中のみに行なわれるものとする。これは、自動車が停車（駐車）している状態においては、タイヤ空気圧が適正に維持されていないとしても、そのことのみで適正なメンテナンスが行なわれていないとは言えないからである。たとえば、タイヤ交換時、車検時、いたずらによりパンクさせられた場合等にはタイヤ空気圧が大きく変動することが考えられるが、そのような状態は通常のメンテナンスの範囲外の問題である。また後述するように、本実施の形態においては特許文献７に開示されている発明をタイヤ空気圧の検出に利用することとしており、この場合には走行中においてのみタイヤ空気圧の検出が可能である。
【００６１】
まず、エンジンが起動されると（ステップＳ１１）、そのことが車輌情報検出装置１２により検出されるので、車輌状況解析部１３１　は記憶装置１３３　に記憶領域が十分にあるか（余裕があるか）否かを判断する（ステップＳ１２）。記憶装置１３３　に記憶領域が十分にない場合（ステップＳ１２でＮＯ）、車輌状況解析部１３１　は次に外部通信装置１４が使用可能な状態であるか否かを判断する（ステップＳ１３）。
【００６２】
記憶装置１３３　に記憶領域が十分になく、且つ外部通信装置１４の使用が不可能な場合（ステップＳ１２でＮＯ，Ｓ１３でＮＯ）、車輌状況解析部１３１　は何等かの方法、たとえば音声メッセージ、警告灯の点灯等により運転者に警告を行なう（ステップＳ１７）。この場合、外部通信装置１４が故障しているか、中継装置２と接続することが出来ない状況にある可能性が高いので、運転者は直ちに何らかの対策、たとえば予備のメモリカードに記憶装置１３３　からデータを吸い出す等の対策を講じる必要がある。また、外部通信装置１４が故障している場合には直ちに修理する必要がある。
【００６３】
なお、この場合、保険契約時の条件によりその自動車の運転が出来ないようにたとえばエンジンへの燃料供給を停止する等の操作が自動的に行なわれるようにしてもよい。
【００６４】
ステップＳ１３において外部通信装置１４の使用が可能である場合は（ステップＳ１３でＹＥＳ）、車輌状況解析部１３１　はその時点で記憶装置１３３　に記憶されて保存されている全ての情報を取得し（ステップＳ１４）、外部通信制御部１３４　を制御して外部通信装置１４から外部へ送信する（ステップＳ１５）。このようにして記憶装置１３３　内の全保存情報が外部へ送信された後、車輌状況解析部１３１　は外部へ送信済みのデータを記憶装置１３３　からクリアする（ステップＳ１６）。以上により、記憶装置１３３　の記憶領域の余裕が十分にできたことになる。この後、車輌状況解析部１３１　はステップＳ２１へ処理を進める。
【００６５】
上述の場合、及び先のステップＳ１２において記憶装置１３３　の記憶領域に十分な余裕があると判断された場合（ステップＳ１２でＹＥＳ）、車輌状況解析部１３１　はタイヤ空気圧を計測するタイミングであるか否かを内蔵時計１３２　の計時結果から判断する（ステップＳ２１）。前述の如く、本実施の形態においては３０秒間隔でサンプリングを行なうことにしているので、タイヤ空気圧を計測するタイミングになると（ステップＳ２１でＹＥＳ）、タイヤ空気圧検出装置１１からはタイヤ空気圧情報を、内蔵時計１３２　からは時間情報を、車輌情報検出装置１２からは走行距離、車速等をそれぞれ取得し（ステップＳ２２）、記憶装置１３３　の所定の記憶領域に保存する（ステップＳ２３）。
【００６６】
ここで、外部通信装置１４が使用可能であれば（ステップＳ２４でＹＥＳ）、車輌状況解析部１３１　は先のステップＳ１４へ処理を移して、それまでに記憶装置１３３　に保存された情報の全てを外部通信制御部１３４　を制御して外部へ送信し（ステップＳ１５）、その後に送信済みのデータをクリアする（ステップＳ１６）。一方、先のステップＳ２４において外部通信装置１４が使用不可能である場合は（ステップＳ２４でＮＯ）、車輌状況解析部１３１　はステップＳ２１へ処理を戻して次のタイヤ空気圧計測のタイミングに至るまで待機する。
【００６７】
以上のように、外部通信装置１４が使用可能な場合はタイヤ空気圧検出装置１１及び車輌情報検出装置１２から取得した情報は直ちに外部へ送信され、中継装置２を介して保険事業者のサーバ３へ送信される。また、外部通信装置１４が使用不可能な場合はタイヤ空気圧検出装置１１及び車輌情報検出装置１２から取得した情報は記憶装置１３３　に保存されてゆき、外部通信装置１４が使用可能になった時点で直ちに外部へ送信されて中継装置２を介して保険事業者のサーバ３へ送信される。
【００６８】
なお、外部通信装置１４が使用不可能な状態とは、外部通信装置１４が故障している場合は勿論のことであるが、車輌の現在位置の関係から中継装置２との接続が出来ない場合、中継装置２との常時接続を行なわない場合等も含まれる。特に、記憶装置１３３　として比較的大容量のハードディスクを利用している場合には、１日に一度、または週に一度等の頻度で定期的に情報の保険事業者のサーバ３への送信を行なうようにしてもよいし、ハードディスクの残記憶容量がある程度に減少した場合に保険事業者のサーバ３への情報の送信を行なうようにしてもよい。
【００６９】
いずれにしろ、上述の図２のフローチャートに示されているような手順により、車載装置１から保険事業者のサーバ３へ車輌状況解析部１３１　が取得した情報が送信され、車輌情報受信部３１によって受信され、車輌管理状態診断部３２によって診断される。
【００７０】
図３は特許文献７に開示された技術により車輌のタイヤ空気圧を解析して記録したデータの例を示す表であり、ここでは３０秒間隔でサンプリングした例が示されている。なおこのようなデータは上述した図２のフローチャートに示すような手順によって車載装置１の車輌状況解析部１３１　が取得する。
【００７１】
この図３に示す例では、２００２年４月１日１２時１５分３０秒におけるタイヤ空気圧は２．０ｋｇ／ｃｍ２　であり、その際の走行速度は時速６０ｋｍである。そしてその３０秒後の１６分００秒においてはタイヤ空気圧は２．０ｋｇ／ｃｍ２　でありその際の走行速度は時速８０ｋｍである。更にその約４０分後の１３時５分００秒におけるタイヤ空気圧は１．５ｋｇ／ｃｍ２　であり、その際の走行速度は時速１００ｋｍ　である。
【００７２】
この図３に示す例では、具体的には、車輌が低速走行から高速走行へ増速すると共にタイヤ空気圧が２．０ｋｇ／ｃｍ２　から１．５ｋｇ／ｃｍ２　へ低下している。しかし、一般的には、自動車が高速走行した場合にはタイヤが暖まってその内部の空気が膨張するため、タイヤ空気圧は高くなるのが一般的である。従って、図３に示されている例では高速走行時のタイヤ空気圧が低速走行時のタイヤ空気圧よりも低くなっていることから、また時速６０ｋｍ走行時から１００ｋｍ　走行時までの所要時間が１分弱であることから、タイヤになんらかの問題が生じていると判断される。
【００７３】
上述のような車載装置１の車輌状況解析部１３１　により解析されたデータは中継装置２を経由して保険事業者のサーバ３の車輌情報受信部３１により受信され、車輌管理状態診断部３２に与えられる。
【００７４】
図４は車輌管理状態診断部３２による診断の基本的な手法を説明するためのグラフである。なお、図４のグラフでは縦軸にタイヤ空気圧を、横軸に時間をそれぞれとっており、適正なタイヤ空気圧範囲は下限値のＴＨＬ　と上限値のＴＨＨ　との間である。
【００７５】
この図４に示す例では、時刻ｔ１においてタイヤ空気圧が下限値ＴＨＬ　を下回り、その後の時刻ｔ２においてタイヤ空気圧がほぼ上限値ＴＨＨ　に近い値にまで調整されている。しかし、その後の時刻ｔ３において再度タイヤ空気圧が下限値ＴＨＬ　を下回り、その後の時刻ｔ４においてタイヤ空気圧はほぼ上限値ＴＨＨ　に近い値にまで再度調整されている。この時刻ｔ３からｔ４までの間は比較的低いタイヤ空気圧のままに放置されていたことがわかる。更に、その後の時刻ｔ５において再度タイヤ空気圧が下限値ＴＨＬ　を下回り、その後の時刻ｔ６においてタイヤ空気圧はほぼ上限値ＴＨＨ　に近い値にまで再度調整されている。この時刻ｔ５からｔ６までの間は時間的にも比較的短く、またタイヤ空気圧が下限値ＴＨＬ　を若干下回っただけであることから、比較的迅速にタイヤ空気圧が調整されたことがわかる。
【００７６】
このようなタイヤ空気圧の経時適変化から、タイヤ空気圧の管理が適正であるか否かが車輌管理状態診断部３２により判断される。具体的には、図４にハッチングを付して示すタイヤ空気圧が下限値ＴＨＬ　を下回った部分の
（１）　時間的長さ（累積時間）
（２）　時間的長さの全走行時間に占める割合
（３）　走行距離（累積走行距離）
（４）　走行距離の全走行距離に占める割合
（５）　適正な範囲からのズレの絶対値
等の内の一つ、または複数の組み合せにより診断される。但し、前述した図２に示すフローチャートから明らかなように、エンジンが起動されていない場合はタイヤ空気圧の情報は取得されないため、停車中、特に駐車中に関しては判断基準から除外される。また、自動車のタイヤの場合、走行開始後に内部の空気が暖まってタイヤ空気圧が上昇するため、走行開始後から一定時間が経過するまでのデータに関しては判断基準から除外するようにしてもよい。
【００７７】
図５は保険事業者のサーバ３の車輌管理状態診断部３２により行なわれる管理状況評価指数の算出手順を示すフローチャートの一例である。この例では、上述の（２）　時間的長さの全走行時間に占める割合、（４）　走行距離の全走行距離に占める割合、及び（５）　適正な範囲からのズレの絶対値を使用して管理状況評価指数Ｅを求める例が示されている。
【００７８】
車輌管理状態診断部３２は、車輌情報受信部３１を介してある個人（保険契約者）の車輌から車輌情報を受信する都度、個人情報管理ＤＢ４からその個人の情報、この場合はタイヤ空気圧が適正値を外れていた時間の総計ＴＡ、全走行時間ＴＴ、タイヤ空気圧が適正値を外れていた走行距離の総計ＬＡ、全走行距離ＬＴ、及びタイヤ空気圧の適正範囲からのズレの絶対値の最大値ＰＡを読み出す（ステップＳ３１）。次に車輌管理状態診断部３２は、個人情報管理ＤＢ４から読み出した各値ＴＡ、ＴＴ、ＬＡ、ＬＴ、及びＰＡを新たに取得した車輌情報で更新する（ステップＳ３２）。なお、タイヤ空気圧の適正範囲からのズレの絶対値の最大値ＰＡに関しては、それまで個人情報管理ＤＢ４に格納されていた値よりも大きい値が新たに取得された場合にのみ更新されることはいうまでもない。
【００７９】
次に車輌管理状態診断部３２は管理指数Ｖ１、Ｖ２を求め、これらの指数とタイヤ空気圧の適正範囲からのズレの絶対値の最大値ＰＡとから管理状況評価指数Ｅを求める（ステップＳ３３）。管理指数Ｖ１は、全走行時間ＴＴに対するタイヤ空気圧が適正値を外れていた時間の総計ＴＡの割合（ＴＡ／ＴＴ）である。管理指数Ｖ２は、全走行距離ＬＴに対するタイヤ空気圧が適正値を外れていた走行距離の総計ＬＡの割合（ＬＡ／ＬＴ）である。また、管理状況評価指数ＥはＶ１、Ｖ２及びＰＡを変数とする関数として定義されている。
【００８０】
最後に車輌管理状態診断部３２はこのようにして新たに求めた管理状況評価指数Ｅにより、個人情報管理ＤＢ４の対応する個人の管理状況評価指数Ｅを更新する（ステップＳ３４）。このような管理状況評価指数Ｅの更新が車輌情報受信部３１を介して新たな車輌情報が受信される都度、車輌管理状態診断部３２により行なわれている。
【００８１】
なお、管理状況評価指数Ｅを求めるための関数は、変数である「ＴＡ／ＴＴ」、「ＬＡ／ＬＴ」、及び「ＰＡ」と事故率との関係を過去のデータから統計学的に求めることにより決定すればよい。
【００８２】
図６は保険事業者のサーバ３の保険料算出部３３による保険料算出のための処理手順を示すフローチャートである。なおこの保険料算出部３３による保険料算出の処理は、たとえば保険契約の終了時（通常は１年単位）等に行ない、保険料が減額される結果になった場合にはその減額分をその時点で保険加入者に返還するか、または保険加入者が保険契約の継続を希望する場合には次期の保険料から減額する等の措置をとればよい。
【００８３】
保険料算出部３３はまず個人情報管理ＤＢ４に保存されている保険契約者の個人情報からその個人の管理状況評価指数Ｅを読出し（ステップＳ４１）、管理状況評価指数Ｅの最大値として定められている所定値Ｅｍａｘと比較する（ステップＳ４２）。この結果、Ｅ≧Ｅｍａｘである場合、換言すればその保険契約者の管理状況評価指数Ｅが所定の最大値Ｅｍａｘ以上である場合は（ステップＳ４２でＹＥＳ）、保険料算出部３３は保険料の減額を行なわないと判断する（ステップＳ４３）。
【００８４】
一方、Ｅ≧Ｅｍａｘでない（Ｅ＜Ｅｍａｘ）場合、換言すればその保険契約者の管理状況評価指数Ｅが所定の最大値Ｅｍａｘ未満である場合は（ステップＳ４２でＮＯ）、保険料算出部３３は保険料の内の減額保留分（保険料を減額するために保留してあある金額）の「｛１‐（Ｅ／Ｅｍａｘ）｝×１００　」％を減額すると判断する（ステップＳ４４）。
【００８５】
なお、保険料の減額保留分とは、保険料全体の内の管理状況評価指数Ｅに応じて保険料を減額するために保留されている金額であり、管理状況評価指数Ｅが「０」である場合には減額保留分の全額が減額されるが、それでも保険料が全く無料になるということはなく、基礎的な経費としての最低限度の金額を保険料として支払う必要があることはいうまでもない。
【００８６】
以上のようにして保険料から減額すべき金額が保険料算出部３３により決定されるので、保険料が減額される結果になった場合にはその減額分をその時点で保険加入者に返還するか、または保険加入者が保険契約の継続を希望する場合には次期の保険料から減額して新たな契約を結ぶことになる。
【００８７】
たとえば、「Ｅ／Ｅｍａｘ」が０．１　である場合、減額保留分の９０％が減額されることになり、保険加入者はその金額を返却してもらうか、または継続して保険契約を希望する場合には次期の保険料から減額してもらうことが出来る。
【００８８】
なお、保険加入者が事故を起こした場合に支払われる保険金に関しても、上述同様の手法によって支払い金額を減額するようにしてもよい。図７は保険事業者のサーバ３の保険料算出部３３による保険金の支払い額を算出する処理手順を示すフローチャートである。
【００８９】
保険料算出部３３はまず個人情報管理ＤＢ４に保存されている保険契約者の個人情報からその個人の管理状況評価指数Ｅを読出し（ステップＳ５１）、管理状況評価指数Ｅの最大値として定められている所定値Ｅｍａｘと比較する（ステップＳ５２）。この結果、Ｅ＞Ｅｍａｘでない場合、換言すればその保険契約者の管理状況評価指数Ｅが所定の最大値Ｅｍａｘ以下である場合は（ステップＳ５２でＮＯ）、保険料算出部３３は保険金の減額を行なわないと判断する（ステップＳ５３）。
【００９０】
一方、Ｅ＞Ｅｍａｘである場合、換言すればその保険契約者の管理状況評価指数Ｅが所定の最大値Ｅｍａｘを越えている場合は（ステップＳ５２でＹＥＳ）、保険料算出部３３は保険金の内の減額保留分（保険金を減額するために保留してあある金額）の「｛（Ｅ‐Ｅｍａｘ）／Ｅｍａｘ｝×１００　」％を減額すると判断する（ステップＳ５４）。
【００９１】
なお、保険金の減額保留分とは、保険金全体の内の管理状況評価指数Ｅに応じて保険金の支払い額を減額するために保留されている金額であり、管理状況評価指数Ｅが「０」である場合には減額はされない。但し、管理状況評価指数Ｅの値に拘わらず、保険金の減額保留分以上（１００％以上）が減額されることはない。
【００９２】
ところで、上述の実施の形態においては車輌の管理状況を判断する指標としてタイヤ空気圧の管理状況を利用したが、それ以外にも車輌の管理状況を判断する指標として種々の装置の状況を利用することが可能であることはいうまでもない。以下にそのような、タイヤ空気圧以外の指標のいくつかを利用する場合の例について説明する。なお、以下の実施の形態においては、タイヤ空気圧の他に、エンジンオイルの量、エンジンオイルの状態（汚れの程度）、ライト類の点灯状態を車輌の管理状況を判断するための指標として利用するものとする。
【００９３】
図８は、図１に示した本発明のシステムを構成する車載装置１の他の実施の形態を示すブロック図である。
【００９４】
この例では、エンジンオイル量センサ１６が検出するエンジンオイルの量に関する情報と、エンジンオイル状態センサ１７が検出するエンジンオイルの汚れの程度に関する情報と、ライト用電流計１８により検出される電流値とが車輌状況解析部１３１　に与えられるように構成されている。
【００９５】
ところで、エンジンオイルに関しては、一般的には走行距離（たとえば２０００ｋｍ毎）に応じて、または使用時間（たとえば６カ月毎に）に応じて交換することが望ましいし、また交換時期以前であっても汚れが甚だしい場合には交換すべきである。更に、エンジンオイルが減少した場合には適正な量になるように補充することが車輌の管理状況を良好に維持するために必要である。従って、エンジンオイル量センサ１６によりエンジンオイルの量を検出することにより、車輌の管理状況を判断する指標として使用することが可能である。また、エンジンオイル状態センサ１７により検出されるエンジンオイルの状態、換言すれば汚れの程度は、それ自体がある限度を越えている場合は車輌の管理状況が良好でないと判断する材料になり、また汚れている状態から全く汚れていない状態に変化した時点でオイル交換を行ったことが判断可能である。
【００９６】
なお、エンジンオイル量センサ１６に関しては通常の自動車には備えられていることが一般的であるので、新たに備える必要はない。また、エンジンオイル状態センサ１７に関しては、たとえばフォトインタラプタ等によりエンジンオイル中での光の透過度を検出することにより容易に実現可能である（このような技術はたとえば洗濯機の水の汚れの程度を検出するセンサとして実用化されている）。
【００９７】
また、ライト用電流計１８はライト類に流れる電流値を検出する。これは、自動車の夜間の走行においては通常はヘッドライト及びテールライトが点灯されることに着目したものである。即ち、ヘッドライト及びテールライトが点灯した状態の電流値を基準とし、車載装置１の内蔵時計１３２　の計時結果に従って夜間にそれよりも少ない電流値しか検出されない場合にはいずれかのライトが故障していて点灯していないか、または無灯火で走行したと判断することが可能である。従って、そのような状況がある程度以上の時間にわたって、またはある程度以上の走行距離にわたって検出された場合には車輌の管理状況が良好ではない、または危険な運転を行なったと判断する材料になる。
【００９８】
なお、これらのタイヤ圧検出装置１１、車輌情報検出装置１２、エンジンオイル量センサ１６、エンジンオイル状態センサ１７、ライト用電流計１８、及び車輌状況解析部１３１　は車輌の管理状況の監視装置として機能する。また、車輌状況解析部１３１　は、図１に示した実施の形態の場合と同様に具体的にはマイクロコンピュータを利用しており、タイヤ空気圧検出装置１１、車輌情報検出装置１２、エンジンオイル量センサ１６、エンジンオイル状態センサ１７、及びライト用電流計１８から与えられるデータを、内蔵時計１３２　の計時結果を参照して解析し、車輌の状況を記録する。なお、この車輌状況解析部１３１　によるタイヤ空気圧の解析は、図１に示した車輌状況解析部１３１　の場合と同様に特許文献７に開示されている手法に基づいている。
【００９９】
この車輌状況解析部１３１　による解析結果が得られれば、それ以降の処理手順は前述の図１に示した車輌状況解析部１３１　による解析結果が得られた時点以降の処理手順と基本的には同様である。
【０１００】
また、保険事業者のサーバ３の車輌管理状態診断部３２による診断も、基本的にはタイヤ空気圧の診断と同様の手法で可能である。
【０１０１】
なお、上述以外にもたとえば、ウィンドウォシャ液の量、バッテリの充電状態、エンジン冷却水の量等を車輌の管理状況の指標として利用することが可能であるので、それらを検出するセンサを車載装置１に備え、車輌管理状態診断部３２による診断に利用してもよいことは勿論のことである。
【０１０２】
図９は車輌管理状態診断部３２及び保険料算出部３３をソフトウェア的に実現するために保険事業者のサーバ３のプログラム記録部３４に記録されているコンピュータプログラムＣＰの内容を示す模式図である。
【０１０３】
このコンピュータプログラムＰＣは、タイヤ空気圧（自動車の管理状況）に関する時系列的情報を読み込むプログラムコードＰＣ１と、タイヤ空気圧管理状況（自動車管理状況）を評価するプログラムコードＰＣ２と、評価結果に基づいて保険料を決定するプログラムコードＰＣ３とを含んでいる。またこのコンピュータプログラムＰＣは、評価結果に基づいて保険金を決定するプログラムコードＰＣ４を含んでいてもよい。
【０１０４】
【発明の効果】
以上に詳述したように、本発明の自動車保険の保険料及び／又は保険金の決定方法及びシステムによれば、タイヤ空気圧が常時適正に維持されている自動車の所有者または運手者は日常的に車輌のメンテナンスに留意しており、またそのような自動車は事故を起こす確率が相対的に低いとみなすことが可能であり、更にタイヤ空気圧を常時適切に管理するような運転者は事故を起こす確率が低い運転を心掛けているとの推測も十分に成り立つという理由から、保険料を減額する。これにより、保険加入者側においては従来の自動車保険料に対する不公平感が解消される。また、事故が発生した場合に保険加入者に支払われる保険金に関しても支払うべき保険金を同様の手法により減額する。これにより、保険加入者側においては日頃からタイヤ空気圧を適正に管理するように心掛けるようになり、結果的に事故の発生を抑止する効果がある。
【０１０５】
また本発明によれば、比較点安価で信頼性が高い間接方式のタイヤ空気圧検出装置により、タイヤが取り付けられたホイールの回転角速度に基づいてタイヤ空気圧の変化を検出しているので、普及価格帯の自動車に対しても容易に適用することが可能になる。
【０１０６】
また本発明によれば、タイヤ空気圧管理状況の評価が、タイヤ空気圧が所定の基準範囲外であった走行距離の総計値、タイヤ空気圧が所定の基準範囲外であった走行距離の全走行距離に対する割合、タイヤ空気圧が所定の基準範囲外であった走行時間の総計値、タイヤ空気圧が所定の基準範囲外であった走行時間の全走行時間に対する割合、及びタイヤ空気圧が所定の基準範囲を最も大きく外れた値のいずれか一つ、または複数の組み合せに基づいて行なわれることにより、タイヤ空気圧の管理状況がより具体的に把握される。従って、保険料の減額または保険金の減額の計算に際してより実情に合致した結果が得られる。
【０１０７】
また本発明の自動車保険の保険料及び／又は保険金の決定方法によれば、タイヤ空気圧に代えて自動車の管理状況に関する時系列的情報を利用するようにしており、自動車の管理状況が常時適正に維持されている自動車の所有者または運手者は日常的に車輌のメンテナンスに留意しており、またそのような自動車は事故を起こす確率が相対的に低いとみなすことが可能であり、更に自動車を常時適切に管理するような運転者は事故を起こす確率が低い運転を心掛けているとの推測も十分に成り立つという理由から、保険料を減額する。これにより、保険加入者側においては従来の自動車保険料に対する不公平感が解消される。また、事故が発生した場合に保険加入者に支払われる保険金に関しても支払うべき保険金を同様の手法により減額する。これにより、保険加入者側においては日頃から自動車の管理を適正に行なうように心掛けるようになり、結果的に事故の発生を抑止する効果がある。
【０１０８】
また本発明によれば、監視装置により、タイヤ空気圧、エンジンオイルの量及び汚れの状態、所定のライトの点灯状態等が自動車の管理状況の指標となる情報として検出するようにしているので、それらの内のいずれかを個々の自動車に応じて適用することが可能になる。
【０１０９】
また本発明によれば、自動車の管理状況の評価が、監視装置による監視結果が所定の基準範囲外であった走行距離の総計値、監視装置による監視結果が所定の基準範囲外であった走行距離の全走行距離に対する割合、監視装置による監視結果が所定の基準範囲外であった走行時間の総計値、監視装置による監視結果が所定の基準範囲外であった走行時間の全走行時間に対する割合、及び監視装置による監視結果が所定の基準範囲を最も大きく外れた値のいずれか一つ、または複数の組み合せに基づいて行なわれることにより、自動車の管理状況がより具体的に把握される。従って、保険料の減額または保険金の減額の計算に際してより実情に合致した結果が得られる。
【０１１０】
更にまた本発明のコンピュータプログラムによれば、前述の本発明の自動車保険の保険料及び／又は保険金の決定システムの中央装置を汎用コンピュータで実現することが可能になる。
【図面の簡単な説明】
【図１】本発明に係る自動車保険の保険料及び／又は保険金の決定方法を実施するためのシステム、即ち本発明の自動車保険の保険料及び／又は保険金の決定システムの全体の一構成例を示すブロック図である。
【図２】本発明のシステムの車載装置によるタイヤ空気圧の検出手順を示すフローチャートである。
【図３】特許文献７に開示された技術により車輌のタイヤ空気圧を解析して記録したデータの例を示す表である。
【図４】車輌管理状態診断部による診断の基本的な手法を説明するためのグラフである。
【図５】本発明のシステムの保険事業者のサーバの車輌管理状態診断部により行なわれる管理状況評価指数の算出手順を示すフローチャートの一例である。
【図６】本発明のシステムの保険事業者のサーバの保険料算出部による保険料算出のための処理手順を示すフローチャートである。
【図７】本発明のシステムの保険事業者のサーバの保険料算出部による保険金の支払い額を算出する処理手順を示すフローチャートである。
【図８】本発明のシステムを構成する車載装置の他の実施の形態を示すブロック図である。
【図９】本発明のシステムの保険事業者のサーバの車輌管理状態診断部及び保険料算出部をソフトウェア的に実現するためのコンピュータプログラムの内容を示す模式図である。
【符号の説明】
１　　　車載装置
３　　　保険事業者のサーバ
４　　　個人情報データベース
１１　　タイヤ空気圧検出装置
１２　　車輌情報検出装置
１４　　外部通信装置
３１　　車輌情報受信部
３２　　車輌管理状態診断部
３３　　保険料算出部
３４　　プログラム記録部
１３１　車輌状況解析部
１３２　内蔵時計
ＣＰ　　コンピュータプログラム
【図１】
2004145489.tif 000003
【図２】
2004145489.tif 000004
【図３】
2004145489.tif 000005
【図４】
2004145489.tif 000006
【図５】
2004145489.tif 000007
【図６】
2004145489.tif 000008
【図７】
2004145489.tif 000009
【図８】
2004145489.tif 000010
【図９】
2004145489.tif 000011